(57)【特許請求の範囲】
【請求項１】
グラフェン及び無機ナノ物質を用いた自己発熱性及び多機能性を有するベルト添加用物質であって、
前記ベルト添加用物質は、
トルマリン、ベントナイト、ポゾラン、雲母（Ｍｉｃａ）、黄土、ゼオライト、酸化マグネシウム、白土、カルシウム、シリカからなる非鉄金属のうちから選ばれる一種以上の２０〜９８重量部と、
粒径が５〜２０ｎｍであるアナターゼ型Ｔｉ０２ゾル、Ａｇゾル、Ｚｎ０のうちから選ばれる一種以上の０．１〜３０重量部と、
粒径が０．２０〜０．２５ｎｍであるグラフェン０．１〜１０重量部と、
Ａｕ、Ｚｎ、Ｐｔ、Ｙのうちから選ばれる一種以上の粒径１〜１０ｎｍの多機能性コロイダルメタル０．０５〜８重量部と、を含み
前記非鉄金属のうちから選ばれる一種以上が、５００〜１５００メッシュの粒径を有する、ことを特徴とするグラフェン及び無機ナノ物質を用いた自己発熱性及び多機能性を有するベルト添加用物質。
【請求項２】
請求項１に記載のグラフェン及び無機ナノ物質を用いた自己発熱性及び多機能性を有するベルト添加用物質を用いたベルトの製造方法であって、
前記５００〜１５００メッシュの粒径に粉砕された粉末１００重量部と純水（蒸留水）３００重量部とを攪拌機内で混合攪拌する、ことを特徴とするグラフェン及び無機ナノ物質を用いた自己発熱性及び多機能性を有するベルト添加用物質を用いたベルトの製造方法。
【請求項３】
前記粉砕された粉末と純水の混合物に、イオン結合剤Ｎａ−ＥＤＴＡを純水１００重量部に対して０．０１〜１０重量部を添加し、懸濁液化することを特徴とする、請求項２に記載のグラフェン及び無機ナノ物質を用いた自己発熱性及び多機能性を有するベルト添加用物質を用いたベルトの製造方法。
【発明の詳細な説明】
【技術分野】
【０００１】
本発明は、グラフェン及び無機ナノ物質を用いた自己発熱性及び多機能性を有するベルト添加用物質、それを用いたベルト及びその製造方法に係り、さらに詳しくは、外部からのエネルギーを使用することなく体温から輻射された熱がベルトに付着されている発熱体にエネルギーとして伝達され、輻射−昇温−発熱のメカニズムにより熱が上昇し、これによりベルトが持っている各種機能を発揮して身体に様々な利益を与えるようにしたグラフェン及び無機ナノ物質を用いた自己発熱性及び多機能性を有するベルト添加用物質及びそれを用いたベルトの製造方法に関する。
【背景技術】
【０００２】
一般に、ウエストベルトは腹帯または腰帯ともよばれ、一般的にはスパンデックスのような材質を使用して広い幅で形成し、その先端部はバックルやナイロン材接着布（ベルクロマジックテープ）を縫製して腰に着用するようにしたものであり、腰を少し圧迫しながら幅広く支えることにより腰をまっすぐに伸ばした状態にし、腰を楽にして痛みがない状態に保護するものである。
【０００３】
最近では、このようなウエストベルトの効果を有するとともに、腰部または腹部のところに温熱刺激及び治療効果が生じるように電熱線を内蔵して構成したウエストベルトが登場しているが、これは、構造が複雑であり、多くの消費電力を必要とし、使用に際して人体に有害な電磁波が発生するなどの各種問題があるので、電気を使用することなく温熱刺激効果を得ることができるように、ウェストベルトにポケットを設けて温熱療法パック（hot pack）を収容するようにしたウエストベルトが提供された。
【０００４】
しかし、このような温熱療法パックを収容するウエストベルトの場合、温熱療法パックをエネルギーで暖めなければならないので、これも非常に難しいことであり、それによるエネルギー消費を避けることができないという問題点があり、チムジルパックが使用時間の経過に伴って徐々に冷却が進行していくため、温熱療法（韓国語でチムジル）の効果が持続的に得られないという短所があった。
【０００５】
したがって、下記の特許文献２には、内皮に皮膚と接触するようにしたトルマリンボールを形成し、 外皮と内皮の間にグラフェンがラミネートされたシートを設けることにより、発熱効率を高めたものが開示されている。
【０００６】
しかしながら、グラフェンを用いてトルマリンの発熱を生じさせ、皮膚の奥まで伝達させて発熱時間を短縮させるようにしたが、 遠赤外線の放射メカニズムを効果的に利用することができず、それにより提供し得る様々な効果を適切に維持することができないという欠点があった。
【先行技術文献】
【特許文献】
【０００７】
【特許文献１】韓国登録特許第１４３６０９５号公報（２０１４年８月２５日登録）
【特許文献２】韓国登録特許第１５４０４３９号公報（２０１５年７月２３日登録）
【特許文献３】韓国公開特許第２０１５-００７９４１９号公報（２０１５年７月８日公開）
【特許文献４】韓国登録実用新案第０３２９０４６号公報（２００３年９月２５日登録）
【発明の概要】
【発明が解決しようとする課題】
【０００８】
したがって、本発明は、かかる従来の問題点を解消するために案出されたものであり、
【０００９】
その目的は、 体温から輻射された熱がベルトの発熱部材に伝達され、温度が上昇して再発熱を行う発熱ベルトを提供することにある。
【００１０】
本発明の他の目的は、無機ナノ素材を用い、太陽光熱、体温熱、その他の熱源などが熱源となって輻射熱エネルギーとして昇温・発熱して熱を放出し、熱を皮膚の奥の皮下深層まで伝達することにより、様々な機能を提供することにある。
【００１１】
本発明のまた他の目的は、環境にやさしい有機高分子と無機高分子を合成して張力が高くフレキシブルな性能を持たせることにより、人体付着型、ベルト、腹帯型のように様々に適用できるようにすることにある。
【００１２】
本発明のまた他の目的は、遠赤外線放射のメカニズムにおいて人体が持つ波長帯に効果的に到達する波長帯を形成することにより、身を軽くし、抗菌力、脱臭及び空気浄化機能を提供することにある。
【課題を解決するための手段】
【００１３】
本発明は、トルマリン、ベントナイト、ポゾラン、雲母（Mica）、黄土、ゼオライト、酸化マグネシウム、白土、カルシウム、シリカからなる非鉄金属のうちから選ばれる一種以上の２０〜９８重量部と、粒径が５〜２０nmであるＡタイプＴｉ０２ゾル、Ａｇゾル、Ｚｎ０のうちから選ばれる一種以上の０.１〜３０重量部と、粒径が０.２０〜０.２５nmであるグラフェン０.１〜１０重量部と、Ａｇ、Ａｕ、Ｚｎ、Ｐｔ、Ｙのうちから選ばれる一種以上の粒径１〜１０nmの多機能性コロイダルメタル０.０５〜８重量部と、をもって発熱部材（１３）を成形するベルト添加用物質を用いたベルトの製造方法において、前記非鉄金属のうちから選ばれる一種以上を２０〜９８重量部当量とした後、５００〜１,５００メッシュの粒径に粉砕することを特徴とする。
【発明の効果】
【００１４】
本発明によれば、体温から輻射された熱がベルトの発熱部材に伝達され、温度が上昇して再発熱を行う、輻射−昇温−発熱のメカニズムにより熱が上昇して各種機能を発揮し、身体に様々な利益を与えるという効果がある。
【００１５】
また、本発明によれば、 ナノ無機素材を用い、太陽光熱、体温熱、その他の熱源などが熱源となって輻射熱エネルギーとして昇温・発熱後、熱を放出し、熱を皮膚の奥の皮下深層まで伝達し、毛細血管を拡張して血行を促進させ、詰まっている血管を広げ、病気の部位の痛みを緩和させるなど様々な多機能性効果が得られる。
【００１６】
また、本発明によれば、環境にやさしい有機高分子と無機高分子を合成し、即ち、有・無機の合成により、張力が高くフレキシブルな性能を持たせることにより、人体付着型、ベルト、腹帯型のように様々に適用して人体の多様な部位に適用することができるという効果がある。
【００１７】
また、本発明によれば、遠赤外線放射のメカニズムにおいて人体が持つ９.３６ミクロン波長帯に効果的に到達する波長帯を形成させ、回転運動、伸縮運動、並進運動、変角運動を１０１２／Ｓｅｃという驚異的な速度で強制に激しく行わせることにより、共鳴作用を引き起こし、身を軽くし、毛細血管を拡張して血行を促進させることができ、また、人体に無害な無機抗菌剤を用いて抗菌力を与えることにより、着用部位で発生する人体に有害な菌株から保護することができ、消臭機能を発現して汗の臭いを抑制する役割を果たし、各種匂いを抑えて空気を浄化させることができるという効果がある。
【図面の簡単な説明】
【００１８】
【図１】本発明の好適な実施例を示すベルトの表面図である。
【図２】本発明の好適な実施例を示すベルトの内面図である。
【図３】本発明に係るベルトの主要部分の内面図である。
【発明を実施するための形態】
【００１９】
以下、本発明の好ましい実施例を添付図面に基づいてより詳細に説明する。
【００２０】
本発明は、トルマリン、ベントナイト、ポゾラン、雲母（Mica）、黄土、ゼオライト、酸化マグネシウム、白土、カルシウム、シリカからなる非鉄金属のうちから選ばれる一種以上の２０〜９８重量部と、粒径が５〜２０nmであるＡタイプＴｉ０２ゾル、Ａｇゾル、Ｚｎ０のうちから選ばれる一種以上の０.１〜３０重量部と、粒径が０.２０〜０.２５nmであるグラフェン０.１〜１０重量部と、Ａｇ、Ａｕ、Ｚｎ、Ｐｔ、Ｙのうちから選ばれる一種以上の粒径１〜１０nmの多機能性コロイダルメタル０.０５〜８重量部と、からなることを特徴とする。
【００２１】
前記混合物は、ゴム（rubber）の表面にコーティング及び印刷から選ばれるいずれか一つの方法で何らかの形状を表示されるように形成するものであり、ゴム（rubber）の表面において支持体の役割を果たし、遠赤外線を放射する。
【００２２】
前記トルマリン、ベントナイト、ポゾラン、雲母（Mica）、黄土、ゼオライト、酸化マグネシウム、白土、カルシウム、シリカからなる非鉄金属のうちから選ばれる一種以上を２０〜９８重量部当量した後、５００〜１,５００メッシュの粒径に粉砕する。
【００２３】
前記粉砕した非鉄金属は、ゴム（rubber）の表面にコーティング及び印刷から選ばれるいずれか一つの方法で形成するものであり、５００メッシュ以下であると、粒径が大きすぎて固着及び遠赤外線放射作用を行い難いという欠点があり、１５００メッシュ以上の粒径を有すると、粉砕費用の高騰化を招き、遠赤外線放射作用に対する昇温効果がなくなるため、好ましくは１０００メッシュの粒径に粉砕する。
【００２４】
前記５００〜１,５００メッシュの粒径に粉砕された粉末１００重量部と純水（蒸留水）３００重量部とを攪拌機内で混合攪拌する。
【００２５】
前記粉砕された粉末と純水の混合物に、イオン結合剤Ｎａ−ＥＤＴＡを純水１００重量部に対して０.０１〜１０重量部を添加し、懸濁液化する。
【００２６】
前記イオン結合剤は、イオン化されているものを固定する作用を行うことにより、相互間の結合力を向上させるものである。
【００２７】
前記粒径が５〜２０nmであるＡタイプＴｉ０２ゾル、Ａｇゾル、Ｚｎ０のうちから選ばれる一種以上を懸濁液化する工程において、各粒子にイオン置換が容易に行えるように攪拌機に０.１〜３０重量部を徐々に投入して調製する。
【００２８】
前記攪拌機内の温度を４０〜６０℃で４〜６時間維持してイオン置換を行う。
【００２９】
前記攪拌機内の温度を４０℃以下に維持した場合、分子置換が円滑に行われないという恐れがあり、６０℃以上の温度に維持した場合、結合力が低下する原因となるので、好ましくは５０℃の温度を５時間維持することにより、分子の結合力を向上させ、相互に固着させる役割を果たす。
【００３０】
前記グラフェンとしては、純度９９．９％以上で、粒径が０.２０〜０.２５nmであるものを提供し、０.１〜１０重量部を徐々に添加する。
【００３１】
前記グラフェンは、天然の炭素材料と高分子化合物質結合体であり、電子が光速度の３００倍である９万ｋｍの電子運動速度を有する複合ナノ材料であり、炭素が持つ熱エネルギー、光エネルギーを保存し、速度、熱、光エネルギーによって陰イオンと遠赤外線を放出することになり、グラフェンは、エネルギー保存物質の特性を有し、すなわち、熱及び光エネルギーを保存することができる物質であり、熱伝導新素材である。
【００３２】
前記Ａｇ、Ａｕ、Ｚｎ、Ｐｔ、Ｙのうちから選ばれる一種以上の粒径１〜１０nmのキレート剤０.０５〜８重量部を、前記イオン置換により得られた物質に徐々に添加する。
【００３３】
前記イオン置換により得られた物質にキレート剤を添加して十分に攪拌したスラリーを、１５０〜２００℃の熱風乾燥機に入れて５〜６時間乾燥させる。
【００３４】
前記熱風乾燥機は、ミネラルの乾燥が容易であり、内部まで迅速で均一に乾燥できるようにすることにより、スラリーを熱風で十分に乾燥させるものである。
【００３５】
前記スラリーを乾燥させた後、それをさらに解砕機に入れて粒子などを高粉末状態（１〜１０nm）に再粉末化する。
【００３６】
シリコーンゴム（silicone rubber）及びＰＶＣゴム（PVC rubber）から選ばれるいずれか一種に、前記再粉末化により得られた高粉末状態のものを樹脂１００重量部に対して１０〜１００重量部を添加し、５０〜１００ｒｐｍの速度で１０〜２０分間攪拌してスラリー化する。
【００３７】
前記高粉末混合物状態は乳化した（emulsion）状態になっているので、それを攪拌することにより固練り状のスラリー化する。
【００３８】
前記スラリーの状態の物質を四角、三角、円形、ロゴ、文様のうちいずれかの形状を有するように成形および噴射して形成した発熱部材（１３）として繊維表面に付着する。
【００３９】
前記スラリーの状態の物質を繊維表面に付着した後には、１００〜２５０℃の温度を維持する熱風乾燥機に１〜１０分間通過させて熱硬化させる。
【００４０】
前記熱風乾燥機におけるゴムは、窒素や水素によって変形されるため、模様や形状を維持し、効能を向上させるための発泡剤を全体の物質１００重量部に対して０.００１〜１重量部を添加して熱硬化させる。
【００４１】
前記物質を用いて図１乃至図３に示すように製造したベルト１０は、腰と腕、肩、膝、足首、手首などの身体の一部に着用するものであり、外側面の一方には、 多数のマジックテープ１１が一定の間隔で設けられており、内側面には、着用により身体と接触する部分に繊維１２を設け、前記繊維１２の表面に、前記物質を印刷とコーティング及び成形後の固定から選ばれるいずれか一つの方法を用いて得られた発熱部材１３として設ける。
【００４２】
前記発熱部材１３が、身体の一部に接触するよう着用するものであり、ベルト１０を着用すると、低温の体から熱が輻射され、発熱部材１３にエネルギーとして伝達され、体温を輻射−昇温−発熱作用というメカニズムにより、人によって異なるが、２０〜３０分後には最高３℃まで熱を上昇させる。
【００４３】
前記発熱部材１３は、外部から熱源を供給されず、太陽光熱、体温熱、その他の熱源などが熱源となって輻射熱エネルギーとして昇温・発熱後、熱を放出し、熱を皮膚の奥の皮下深層まで伝達し、毛細血管を拡張して血行を促進させ、詰まっている血管を広げ、病気の部位の痛みを緩和させる役割をする。
【００４４】
つまり、並進運動、変角運動、回転運動、伸縮運動という４つの運動を１秒に１０１２（１兆）という驚異的な速度で行うことで共鳴現象を引き起こす遠赤外線放射メカニズムにより、様々な効能を提供する。
【００４５】
前記発熱部材１３においては、人体に無害な無機抗菌剤は、半永久的な抗菌力を発揮し、着用部位で発生する、皮膚に住み着いている黄色ブドウ球菌、肺炎双球菌、緑膿菌、カビの胞子などに対して強い抗菌力を有する物質であり、皮膚のかゆみや皮膚の損傷を防ぎ、消臭機能を提供して汗の臭いを抑制し、空気浄化の効果を奏する。
【産業上の利用可能性】
【００４６】
本発明は、体温から輻射された熱がベルトの発熱部材に伝達され、温度が上昇して再発熱を行い皮膚に伝達することにより、全身に発熱効果を与え、その結果、温熱、熟成、磁性、乾湿、中和、共鳴作用を行い、これにより様々な効果を提供することができ、産業上非常に有用な発明である。
【符号の説明】
【００４７】
１０    ベルト
１１    マジックテープ
１２    繊維
１３    発熱部材
【図１】
0006427548.tif 000002
【図２】
0006427548.tif 000003
【図３】
0006427548.tif 000004